(57)【要約】【課題】目隠しパネルを机の背面で上下左右に移動させることにより、環境に応じて目隠しパネルを最も適切な状態で使用することができる机を提供すること。【解決手段】目隠しパネル１を支持するパネル受け部２を机のビーム３に左右にスライド可能に配設するとともに、パネル受け部２に目隠しパネル１を上下にスライド可能に装着する。【選択図】図１
2006180969.tif 000002
【特許請求の範囲】
【請求項１】
机の背面に沿って目隠しパネルを設けた机において、目隠しパネルを支持するパネル受け部を机のビームに左右にスライド可能に配設するとともに、該パネル受け部に目隠しパネルを上下にスライド可能に装着したことを特徴とする机。
【請求項２】
パネル受け部に縦リブを設け、該縦リブが摺動可能に嵌挿する縦溝を目隠しパネルの縦枠に設けるとともに、該縦リブに縦溝の幅方向に付勢された凸部を形成し、該凸部が係合する凹部を縦溝に所定間隔で設けたことを特徴とする請求項１記載の机。
【請求項３】
凸部の背後に挿入し、該凸部の退入を阻止するストッパキーを設けたことを特徴とする請求項２記載の机。
【発明の詳細な説明】
【技術分野】
【０００１】
本発明は、机に関し、特に、使用者の前を遮ぎる目隠しパネルを備えた机に関するものである。
【背景技術】
【０００２】
従来、机の背面に目隠しとなるパネルを立設することにより、向かい合わせに配設した机の使用者が仕事に集中できるようにしている。
これらの目隠しパネルは、部屋を区画するためのパーティションを流用したりしているが、パーティションでは高さや幅が一定になるため、バリエーションに欠けたり自由度がないなどの問題があった。
【発明の開示】
【発明が解決しようとする課題】
【０００３】
本発明は、上記従来の机が有する問題点に鑑み、目隠しパネルを机の背面で上下左右（上下方向及び横方向）に移動させることにより、環境に応じて目隠しパネルを最も適切な状態で使用することができる机を提供することを目的とする。
【課題を解決するための手段】
【０００４】
上記目的を達成するため、本発明の机は、机の背面に沿って目隠しパネルを設けた机において、目隠しパネルを支持するパネル受け部を机のビームに左右にスライド可能に配設するとともに、該パネル受け部に目隠しパネルを上下にスライド可能に装着したことを特徴とする。
【０００５】
この場合において、パネル受け部に縦リブを設け、該縦リブが摺動可能に嵌挿する縦溝を目隠しパネルの縦枠に設けるとともに、該縦リブに縦溝の幅方向に付勢された凸部を形成し、該凸部が係合する凹部を縦溝に所定間隔で設けることができる。
【０００６】
また、凸部の背後に挿入し、該凸部の退入を阻止するストッパキーを設けることができる。
【発明の効果】
【０００７】
本発明の机によれば、机の背面に沿って目隠しパネルを設けた机において、目隠しパネルを支持するパネル受け部を机のビームに左右にスライド可能に配設するとともに、該パネル受け部に目隠しパネルを上下にスライド可能に装着することから、目隠しパネルを机の背面で上下左右に移動させることができ、これにより、机が設置される環境に応じて、目隠しパネルを最も適切な状態で使用することができる。
【０００８】
また、パネル受け部に縦リブを設け、該縦リブが摺動可能に嵌挿する縦溝を目隠しパネルの縦枠に設けるとともに、該縦リブに縦溝の幅方向に付勢された凸部を形成し、該凸部が係合する凹部を縦溝に所定間隔で設けることにより、目隠しパネルの上下移動を段階的かつ容易にすることができる。
【０００９】
また、凸部の背後に挿入し、該凸部の退入を阻止するストッパキーを設けることにより、凸部を凹部に係合した状態で固定し、目隠しパネルを任意の高さで固定することができる。
【発明を実施するための最良の形態】
【００１０】
以下、本発明の机の実施の形態を、図面に基づいて説明する。
【実施例１】
【００１１】
図１〜図４に、本発明の机の一実施例を示す。
この机は、机の背面に沿って目隠しパネル１を設けるもので、目隠しパネル１を支持するパネル受け部２を机のビーム３に左右にスライド可能に配設するとともに、該パネル受け部２に目隠しパネル１を上下にスライド可能に装着している。
この場合、図３に示すように、パネル受け部２に縦リブ４を設け、該縦リブ４が摺動可能に嵌挿する縦溝５を目隠しパネル１の縦枠６に設けるとともに、該縦リブ４に縦溝５の幅方向に付勢された凸部７を形成し、該凸部７が係合する凹部８を縦溝５に所定間隔で設けている。
【００１２】
目隠しパネル１は、例えば、透光性を有する樹脂ボード９と、該樹脂ボードを囲む縦横の枠体１０とからなる。目隠しパネル１は、本実施例では、机の半分幅のものを使用しているが、机の全幅のものも使用することができる。
目隠しパネル１の左右の縦枠６には、図３に示すように、前記パネル受け部２の縦リブ４が嵌挿されるチャネル状の縦溝５が高さ方向に亘って形成されており、該縦溝５には、前記縦リブ４の凸部７が係合する凹部８が数ｃｍ間隔で刻設されている。
なお、縦溝５の凹部８は、本実施例では、縦溝５に挿入された合成樹脂製のバー１１によって形成されている。
【００１３】
一方、パネル受け部２は、図４にも示すように、本実施例では、左右１対のものからなり、ビーム３の上下端部に形成されたコ字状溝３１にスライド可能に嵌挿される背板部２１と、該背板部２１からビーム３の反対側に突設された縦リブ４とを備えている。
縦リブ４は、前記目隠しパネル１のチャネル状の縦溝５に摺動可能に嵌挿されるもので、本実施例では、合成樹脂により形成した２条の立片４１の一方を板ばねとなし、該立片４１に、前記目隠しパネル１の凹部８に係合する凸部７を設けている。
凸部７の背後には、図５に示すように、該凸部７の退入を阻止するストッパキー１２を挿入することができ、このストッパキー１２により、凸部７を凹部８に係合した状態で固定し、目隠しパネル１を任意の高さで固定することができる。
【００１４】
かくして、本実施例の机は、机の背面に沿って目隠しパネル１を設けた机において、目隠しパネル１を支持するパネル受け部２を机のビーム３に左右にスライド可能に配設するとともに、該パネル受け部２に目隠しパネル１を上下にスライド可能に装着することから、目隠しパネル１を机の背面で上下左右に移動させることができ、これにより、机が設置される環境に応じて、目隠しパネル１を最も適切な状態で使用することができる。
この場合、パネル受け部２に縦リブ４を設け、該縦リブ４が摺動可能に嵌挿する縦溝５を目隠しパネル１の縦枠６に設けるとともに、該縦リブ４に縦溝５の幅方向に付勢された凸部７を形成し、該凸部７が係合する凹部８を縦溝５に所定間隔で設けることにより、目隠しパネル１の上下移動を段階的かつ容易にすることができる。
また、凸部７の背後に挿入し、該凸部７の退入を阻止するストッパキー１２を設けることにより、凸部７を凹部８に係合した状態で固定し、目隠しパネル１を任意の高さで固定することができる。
【００１５】
以上、本発明の机について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００１６】
本発明の机は、目隠しパネルを机の背面で上下左右に移動させることにより、環境に応じて目隠しパネルを最も適切な状態で使用できるという特性を有していることから、例えば、ワークステーションを構成する机の用途に好適に用いることができる。
【図面の簡単な説明】
【００１７】
【図１】本発明の机の一実施例を示し、（ａ）は目隠しパネルを左右に移動させる状態を示す斜視図、（ｂ）は目隠しパネルを上下に移動させる状態を示す斜視図である。
【図２】同実施例の目隠しパネルとビームを示し、（ａ）はその分解斜視図、（ｂ）は組み立てた状態を示す斜視図である。
【図３】図２（ｂ）のＡ部を示し、（ａ）はその拡大縦断面図、（ｂ）は拡大横断面図である。
【図４】パネル受け部を示し、（ａ）はその斜視図、（ｂ）はビームに挿入した状態を示す斜視図である。
【図５】ストッパキーを示す斜視図である。
【符号の説明】
【００１８】
１    目隠しパネル
２    パネル受け部
２１  背板部
３    ビーム
３１  コ字状溝
４    縦リブ
４１  立片
５    縦溝
６    縦枠
７    凸部
８    凹部
９    樹脂ボード
１０  枠体
１１  バー
１２  ストッパキー
【図１】
2006180969.tif 000003
【図２】
2006180969.tif 000004
【図３】
2006180969.tif 000005
【図４】
2006180969.tif 000006
【図５】
2006180969.tif 000007